(57)【要約】【課題】  大型化を抑えたうえで製造も容易なディスクファイル体およびディスクファイルの提供。【解決手段】  台シートは前側台シートと後側台シートとを有し、前シートと前側台シートとの間をディスク収納袋部とし、前側台シートと後側台シートとの間を別のディスク収納袋部とし、別のディスク収納袋部にその上側からディスクを収納した際に、該ディスクと前シートと前側台シートとの間のディスク収納袋部に収納されているディスクとに前後で重なる領域を生じさせ且つ別のディスク収納袋部に収納したディスクが後側台シートの上端縁から突出しない上下方向途中位置で、前側台シートと後側台シートとを固着していることを特徴とするディスクファイル体。【選択図】  図１
2007099382.tif 000002
【特許請求の範囲】
【請求項１】
台シートの前面および後面に前シートおよび後シートをそれぞれ上側を開放させて配置し、前記台シートに前シートおよび後シートの両側縁部および下縁部を、それぞれ固着部を介して固着しているディスクファイル体であって、前記台シートは前側台シートと後側台シートとを有し、前シートと前側台シートとの間をディスク収納袋部とし、前側台シートと後側台シートとの間を別のディスク収納袋部とし、該別のディスク収納袋部にその上側からディスクを収納した際に、該ディスクと前シートと前側台シートとの間のディスク収納袋部に収納されているディスクとの一部どうしに前後で重なる領域を生じさせ且つ別のディスク収納袋部に収納したディスクが後側台シートの上端縁から突出しない上下方向途中位置で、前側台シートと後側台シートとを固着していることを特徴とするディスクファイル体。
【請求項２】
後シートと後側台シートとの間をジャケット収納袋部とし、後シートと後側台シートにおける両側縁部の固着部間の距離を、前シートと前側台シートにおける両側縁部の固着部間の距離に比べて大きくし、後シートを透明としていることを特徴とする請求項１記載のディスクファイル体。
【請求項３】
前シートの上部に左右幅方向に亙って左右幅方向切欠が形成されていることを特徴とする請求項１または請求項２記載のディスクファイル体。
【請求項４】
前シートと前側台シートとの間のディスク収納袋部にディスクを収納した際に該ディスクの中心に形成された孔まで至るよう下方へ向かう上下方向切欠が、左右幅方向切欠の左右幅方向中心部に連続して形成されていることを特徴とする請求項３記載のディスクファイル体。
【請求項５】
前側台シートの上部に左右幅方向に亙って左右幅方向切欠が形成されていることを特徴とする請求項１ないし請求項４の何れかに記載のディスクファイル体。
【請求項６】
前側台シートと後シートの間のディスク収納袋部にディスクを収納した際に該ディスクの中心に形成された孔まで至るよう下方へ向かう上下方向切欠が、左右幅方向切欠の左右幅方向中心部に連続して形成されていることを特徴とする請求項５記載のディスクファイル体。
【請求項７】
前シートと前側台シートとの間のディスク収納袋部にディスクを収納し、前側台シートと後側台シートとの間のディスク収納袋部にディスクを収納した際に、前側台シートの上下方向切欠は、前側台シートと後シートとの間のディスク収納袋部に収納したディスクの中心に形成された孔の一部または全部をその前方で開放する位置となるよう構成されていることを特徴とする請求項６記載のディスクファイル体。
【請求項８】
前シートと前側台シートとの間のディスク収納袋部にディスクを収納した際に、前側台シートの上下方向切欠の底部と該ディスクの外周上端部とが前後に重ならない高さ位置に関係付けられていることを特徴とする請求項７記載のディスクファイル体。
【請求項９】
前シート、前側台シート、後側台シート、および後シートのうち少なくとも前側台シート、後側台シートが不織布から形成されていることを特徴とする請求項１ないし請求項８の何れかに記載のディスクファイル体。
【請求項１０】
請求項１ないし請求項９の何れかに記載のディスクファイル体を、取付けシートを介して前後反転させて一対で設けていることを特徴とするディスクファイル体。
【請求項１１】
ディスク収納袋部を形成する前シートと台シートとの取付けシート側における側縁部の固着部は、取付けシートの左右幅方向端縁部から左右幅方向外方に離間していることを特徴とする請求項１０に記載のディスクファイル体。
【請求項１２】
請求項１０または請求項１１記載のディスクファイル体を重ねて、ディスクファイル体の取付けシートどうしを固着した構成としていることを特徴とするディスクファイル。
【請求項１３】
ディスク収納袋部を形成する前シートと台シートとの取付けシート側における側縁部の固着部は、取付けシートの左右幅方向端縁部から左右幅方向外方に離間していることを特徴とする請求項１２記載のディスクファイル。
【発明の詳細な説明】
【技術分野】
【０００１】
本発明は、ＤＶＤ（Digital Versatile Disk）やＣＤ（Compact Disc）等のディスクを収納するためのディスクファイル体およびディスクファイルに関する。
【背景技術】
【０００２】
一般に、磁気的に映像を記録したＤＶＤと称されるディスクは、その映像内容を説明するジャケットと併せて、偏平な合成樹脂製のケースに収納した状態で店頭販売されている。ところで、所持するディスクの枚数が多くなると、上記ケースに収納した状態ではケースが嵩張り、ケースの収納場所に困ることがある。また、複数のディスクを持ち運びする場合は、上記のようなケースでは嵩張るから不便である。これらのことから、複数のディスクをコンパクトに収納するようにして、収納場所をとらず、また持ち運びを便利にしたディスクファイルが種々提案されている（例えば、特許文献１参照）。
【０００３】
このディスクファイルは、ファイル本体の表紙と裏表紙との間に多数のディスク収納シートを開閉可能に保持させ、ディスク収納シートとして、台シートの前面に上下複数の透明な前シートを上側に空間を空けて配置し、台シートに各前シートの下縁部を固着している。
【０００４】
しかしながら上記従来のディスクファイルでは、台シートに各前シートの下縁部を固着しており、ディスクどうしを重なり領域なしに収納するから、その分だけディスクファイルが大型化していた。
【０００５】
そこで、ディスクどうしを、重なり領域を生ずるようにして収納するディスクファイルが提案されている（例えば、特許文献２参照）。このディスクファイルは、一枚のパッキング材料からなり、このパッキング材料は、ディスクファイルの第一の部分を形成する構成部分と、第二の部分を形成する構成部分とを有している。
【特許文献１】登録実用新案第３０４２２２６号公報
【特許文献２】特表平８−５１１２２９号公報
【発明の開示】
【発明が解決しようとする課題】
【０００６】
しかしながら、上記ディスクファイルは一枚のパッキング材料からなっていて、第一の部分を形成する構成部分、第二の部分を形成する構成部分を折曲げたり、あるいは部分的に接着したりしてなるから、全体の構成が複雑であるという課題がある。
【０００７】
そこで本発明は、上記課題に鑑み、複数枚のディスクを収納可能であっても大型化を抑えたうえで、且つ簡単な構成のディスクファイル体およびディスクファイルの提供を課題とする。
【課題を解決するための手段】
【０００８】
本発明のディスクファイル体は、台シートの前面および後面に前シートおよび後シートをそれぞれ上側を開放させて配置し、前記台シートに前シートおよび後シートの両側縁部および下縁部を、それぞれ固着部を介して固着しているディスクファイル体であって、前記台シートは前側台シートと後側台シートとを有し、前シートと前側台シートとの間をディスク収納袋部とし、前側台シートと後側台シートとの間を別のディスク収納袋部とし、該別のディスク収納袋部にその上側からディスクを収納した際に、該ディスクと前シートと前側台シートとの間のディスク収納袋部に収納されているディスクとの一部どうしに前後で重なる領域を生じさせ且つ別のディスク収納袋部に収納したディスクが後側台シートの上端縁から突出しない上下方向途中位置で、前側台シートと後側台シートとを固着していることを特徴としている。
【０００９】
上記構成のディスクファイル体では、前シートと前側台シートとの間のディスク収納袋部に収納されているディスクと、別のディスク収納袋部に収納したディスクとに前後で重なる領域が生じるよう、且つ当該ディスクが後側台シートの上端縁から突出しないようにしているから、複数枚のディスクの下端縁から上端縁までの距離がディスクの径を加算したものとならず、ディスクどうしの重なり領域分だけコンパクトに収納可能となり、ディスクファイル体の大型化が抑えられる。しかも、ディスクファイル体は複数枚のシートを固着してなるという簡単な構成であり、その製造も容易である。さらに、各ディスクは前側台シートを介してディスク収納袋部に収納されるから、ディスクどうしの擦れ合いを防止することが可能である。
【００１０】
本発明のディスクファイル体は、後シートと後側台シートとの間をジャケット収納袋部とし、後シートと後側台シートにおける両側縁部の固着部間の距離を、前シートと前側台シートにおける両側縁部の固着部間の距離に比べて大きくし、後シートを透明としていることを特徴としている。
【００１１】
一般にＤＶＤ等のディスクの販売形態は、ディスクがディスクケースに内装されてディスクに磁気的に記録されたメディアを写真化して印刷したジャケットをディスクケースに装着している。そして上記構成では、後シートと後側台シートにおける両側縁部の固着部間の距離を、前シートと前側台シートにおける両側縁部の固着部間の距離に比べて大きくしているから、ディスクの径に比べて大きな幅にした状態でジャケット収納袋部にジャケットを収納することが可能となり、ジャケットに印刷されている面、特にジャケットの背（例えば映画のタイトルが印刷されている）の部分を含めて、可及的に多く見ることが可能となる。
【００１２】
本発明のディスクファイル体は、前シートの上部に左右幅方向に亙って左右幅方向切欠が形成されていることを特徴としている。
【００１３】
上記構成において、左右幅方向切欠を形成する分だけ前側台シートの上端縁と前シートとの上端縁との間が上下に位置ずれしているから、その位置ずれ部分を目安として、ディスクを前シートと前側台シートとの間のディスク収納袋部に収納し易くなる。
【００１４】
本発明のディスクファイル体は、前シートと前側台シートとの間のディスク収納袋部にディスクを収納した際に該ディスクの中心に形成された孔まで至るよう下方へ向かう上下方向切欠が、左右幅方向切欠の左右幅方向中心部に連続して形成されていることを特徴としている。
【００１５】
上記構成において、上下方向切欠によって前シートが左右に分離され易いから、その部分を目安として前シートと前側台シートとの間のディスク収納袋部へのディスクの収納が容易になる。
【００１６】
本発明のディスクファイル体は、前側台シートの上部に左右幅方向に亙って左右幅方向切欠が形成されていることを特徴としている。
【００１７】
上記構成において、左右幅方向切欠を形成する分だけ前側台シートの上端縁と後シートとの上端縁との間が上下に位置ずれしているから、その位置ずれ部分を目安として、ディスクを前側台シートと後シートとの間のディスク収納袋部に収納し易くなる。
【００１８】
本発明のディスクファイル体は、前側台シートと後シートの間のディスク収納袋部にディスクを収納した際に該ディスクの中心に形成された孔まで至るよう下方へ向かう上下方向切欠が、左右幅方向切欠の左右幅方向中心部に連続して形成されていることを特徴としている。
【００１９】
上記構成において、上下方向切欠によって前側台シートが左右に分離され易いから、その部分を目安として前側台シートと後シートとの間のディスク収納袋部へのディスクの収納が容易になる。
【００２０】
本発明のディスクファイル体は、前シートと前側台シートとの間のディスク収納袋部にディスクを収納し、前側台シートと後側台シートとの間のディスク収納袋部にディスクを収納した際に、前側台シートの上下方向切欠は、前側台シートと後シートとの間のディスク収納袋部に収納したディスクの中心に形成された孔の一部または全部をその前方で開放する位置となるよう構成されていることを特徴としている。
【００２１】
上記構成において、それぞれのディスク収納袋部にディスクを収納した際でも、前側台シートと後側台シートと間のディスク収納袋部に収納したディスクの一部または全部は開放されているから、使用者は開放部分から当該孔に手指を掛けられて、ディスクの取出しが可能になる。
【００２２】
本発明のディスクファイル体は、前シートと前側台シートとの間のディスク収納袋部にディスクを収納した際に、前側台シートの上下方向切欠の底部と該ディスクの外周上端部とが前後に重ならない高さ位置に関係付けられていることを特徴としている。
【００２３】
上記構成では、収納されたディスクどうしは全面的に前側台シートを介して前後にあるから、ディスクどうしが接触し合う状態を確実に回避して、ディスクのディスク面を確実に保護することができるとともに、ディスクの外周上端部は前側台シートの上下方向切欠を前方で塞がないから、前側台シートと後側台シートと間のディスク収納袋部に収納したディスクの孔に手指を掛け易くなり、したがってディスクの取出しが可能になる。
【００２４】
本発明のディスクファイル体は、前シート、前側台シート、後側台シート、および後シートのうち少なくとも前側台シート、後側台シートが不織布から形成されていることを特徴としている。
【００２５】
上記構成によれば、不織布の緩衝性や軟らかさによって、ディスク収納部に収納したディスクを確実に保護することができる。
【００２６】
本発明のディスクファイル体は、上記何れかに記載のディスクファイル体を、取付けシートを介して前後反転させて一対で設けていることを特徴としている。
【００２７】
上記構成のファイル体によれば、取付けシートを介して別のディスクファイル体を一体化した分だけ、ディスクの収納枚数を増やすことができる。
【００２８】
本発明のディスクファイル体は、ディスク収納袋部を形成する前シートと台シートとの取付けシート側における側縁部の固着部は、取付けシートの左右幅方向端縁部から左右幅方向外方に離間していることを特徴としている。
【００２９】
この構成によれば、ディスクをディスク収納部に収納した際に、互いに固着している取付けシートの中心からディスクが左右幅方向外方に離れているから、ディスクファイル体の回動中心からディスクが離れた位置でディスクファイル体が回動することになり、ディスクファイル体を取付けシートを中心に回動させるような場合に、ディスクの外周縁部に不要な力が働かず、その分だけディスクを保護することが可能となる。
【００３０】
本発明のディスクファイルは、上記何れかのディスクファイル体を重ねて、ディスクファイル体の取付けシートどうしを固着した構成としていることを特徴としている。
【００３１】
上記構成によれば、多数のディスクを収納可能となる。また、ディスクファイルを一方から捲くると捲り終えるまで、前シート側または後シート側のうちの一方が現れ、他方から捲ると捲り終えるまで前シート側または後シート側の他方が現れるようになるから、使用者にとっての取扱いが良好である。
【００３２】
本発明のディスクファイルは、ディスク収納袋部を形成する前シートと台シートとの取付けシート側における側縁部の固着部は、取付けシートの左右幅方向端縁部から左右幅方向外方に離間していることを特徴としている。
【００３３】
この構成によれば、ディスクをディスク収納部に収納した際に、互いに固着している取付けシートの中心からディスクが左右幅方向外方に離れているから、ディスクファイル体を捲る際の回動中心からディスクが離れた位置でディスクファイル体が回動することになり、ディスクファイル体を捲る際に、ディスクの外周縁部に不要な力が働かず、その分だけディスクを保護することが可能となる。
【発明の効果】
【００３４】
本発明のディスクファイル体では、ディスクどうしの一部が前後に重なる領域をもつようディスク収納袋部を複数枚のシートを固着して構成しているから、ディスクファイル体の大型化を抑え、且つ簡単な構成となる。ディスクファイルは、上記ディスクファイル体を取付けシートを介して一体化するようにしているから、ディスクファイル体と同様に大型化を抑え、且つ簡単な構成となる。
【発明を実施するための最良の形態】
【００３５】
以下、本発明に係るディスクファイルを図面に基づいて説明する。このディスクファイルは、二枚のディスクファイル体を、取付けシートを介して左右に取付けてディスクファイル対とし、このディスクファイル対を重ねたディスクファイル対群を、表紙、背表紙、裏表紙を構成するカバーと一体化したものである。
【００３６】
まず、図１〜図３に基づいて、ディスクファイル体およびディスクファイル対の構成を説明する。図１はディスクファイル対の斜視図、図２は図１のＡ−Ａ線断面図、図３は図１のＢ−Ｂ線断面図である。
【００３７】
これらの図に示すように、本発明の実施形態に係るディスクファイル対１は、左右一対のディスクファイル体２を、取付けシート３を介して一体化したファイル体組品としての構成を有する。
【００３８】
各ディスクファイル体２は、台シートと、その前面および後面に配置したそれぞれ透明（斜線を付してある）な前シート４および後シート５を有し、前シート４および後シート５は、固着部（以下、「溶着部」という）を介して、上側を開放させるようにして台シートに固着されている。
【００３９】
台シートは、例えば黒色系の不織布から形成されており、前シート４および後シート５は透明な合成樹脂、例えばポリプロピレンから形成されている。不織布はなるべく肌触りが良好なものを用いており、これにより、収納されるディスク６，７の特に磁気記録面を保護する機能を有する。
【００４０】
台シートは、前側台シート１０と後側台シート１１とを前後に重ねて設け、前シート４と前側台シート１０との間をディスク収納袋部（以下、「第一ディスク収納袋部」という）としている。また、前側台シート１０と後側台シート１１との間の上部を別のディスク収納袋部（以下、「第二ディスク収納袋部」という）としている。
【００４１】
前側台シート１０および後側台シート１１は、それぞれ左右幅方向に比べて上下方向が長く、左右幅方向はディスク６，７の径に比べて大きい略矩形に形成されており、ディスクファイル体２の左右幅方向外方の隅部は、円弧状に面取りされている。
【００４２】
ここで、前シート４、前側台シート１０、後側台シート１１および後シート５と取付け状態を説明する。前シート４、前側台シート１０、後側台シート１１および後シート５が全て共通の溶着部によって互いに固定されている部分は、下辺縁１２の下辺縁溶着部１３と、ディスクファイル対１における左右幅方向両外方の外側辺縁１４ａ，１４ｂの外側辺縁溶着部１５，１５とである。下辺縁溶着部１３は下辺縁１２に沿って前シート４、前側台シート１０、後側台シート１１および後シート５を一体化させている。外側辺縁溶着部１５，１５は、それぞれ外側辺縁１４ａ，１４ｂに沿って前シート４、前側台シート１０、後側台シート１１および後シート５を一体化させている。
【００４３】
前シート４と前側台シート１０とは、下辺縁溶着部１３、外側辺縁溶着部１５以外に、左右幅方向内側の内側辺縁溶着部１６によって互いに固定されている。内側辺縁溶着部１６は、前シート４の左右幅方向内側の、一方の外側辺縁１４ａから他方の外側辺縁１４ｂ寄りの位置に、上下方向に沿って形成されている。この構成により、ディスクファイル対１の左右幅方向中心から左右幅方向外方に位置ずれした部位それぞれに、前後の幅狭袋状部５０，５１を有する構成の領域部５２が形成される。
【００４４】
第一ディスク収納袋部２７は、幅狭袋状部５０，５１を有する領域部５２の左右幅方向外方に配置して形成されており、第一ディスク収納袋部２７を構成する前シート４には、その上部を左右幅方向に亙って、左右幅方向が長い矩形に切欠いた前切欠（左右幅方向切欠）２０が形成されている。この前切欠２０は、前シート４の外側辺縁溶着部１５、内側辺縁溶着部１６からそれぞれ左右幅方向内側、左右幅方向外側に帯状の残留片２５，２６を残して形成されている。前切欠２０の上辺縁部２０ａは、後側台シート１１の上辺縁部１１ａに平行であり、後述の切欠（上下方向切欠）２３の下縁部２３ａ（底部）よりも下方に形成されている。
【００４５】
残留片２５，２６の上下方向途中に、第二ディスク収納袋部３３へのディスク７の装脱を規制する止め溶着部３０が形成されている。止め溶着部３０は、スポット的に、それぞれ外側辺縁溶着部１５、内側辺縁溶着部１６に隣合う位置に形成されている。止め溶着部３０間の左右幅方向の距離Ｌ１は、ディスク７の径（例えば１２．０ｍｍ）および厚み（例えば１．２ｍｍ）を考慮して設定される値であり、ディスク７の装着の際にわずかにディスク７の外周部が抵抗を受けて、その抵抗に抗してディスク７を下げることでディスク７の外周部が止め溶着部３０を乗り越えるようになることが可能な距離に設定される。
【００４６】
前側台シート１０には、その上部を左右幅方向に亙って、左右幅方向が長い矩形に切欠いた後切欠（左右幅方向切欠）２１が形成されている。後切欠２１の上辺縁部２１ａは、後側台シート１１の上辺縁部１１ａに平行であり、該上辺縁部１１ａよりも下方に形成されている。これにより上辺縁部１１ａと上辺縁部２１ａとは上下に位置ずれしている。前シート４、前側台シート１０、および後側台シート１１には、第一ディスク収納袋部２７へのディスク６の装脱を規制する止め溶着部３１が形成されている。この止め溶着部３１は、前シート４には、その上下方向途中で、スポット的に、それぞれ外側辺縁溶着部１５、内側辺縁溶着部１６に隣合う位置に形成されている。止め溶着部３１間の左右幅方向の距離Ｌ２は、ディスク６の径および厚みを考慮して設定される値であり、ディスク６の装着の際にわずかにディスク６の外周部が抵抗を受けて、その抵抗に抗してディスク６を下げることでディスク６の外周部が止め溶着部３１を乗り越えるようになることが可能な距離に設定される。
【００４７】
前側台シート１０の左右幅方向中心で上下方向中心より下方に、別の止め溶着部３２が形成されている。この止め溶着部３２から後側台シート１１の上辺縁部１１ａまでの距離Ｌ４は、ディスク７の直径とほぼ等しいか、わずかに大きく設定されている。このように構成することで、ディスク７を第二ディスク収納袋部３３に収納した際に、ディスク７の外周上部が後側台シート１１の上辺縁部１１ａから突出しないよう設定されている。
【００４８】
後シート５と後側台シート１１とは、外側辺縁溶着部１５および下辺縁溶着部１３のみで溶着されて、上側が開放されており、後シート５と後側台シート１１との間がジャケット９を収納するためのジャケット収納袋部３４となっている。
【００４９】
前シート４、前側台シート１０のそれぞれの前切欠２０、後切欠２１の左右幅方向中心には、それぞれ別の切欠（上下方向切欠）２２，２３が連続して形成されている。これら切欠２２，２３は下方へ延びるもので、上方ほど広幅、下方ほど狭幅となるよう形成されており、その下縁部２２ａ，２３ａ（底部）は円弧状に形成されている。切欠２２，２３の下縁部２２ａ，２３ａは、ディスク６，７を第一ディスク収納袋部２７、第二ディスク収納袋部３３にそれぞれ収納した際に、ディスク６，７それぞれの中心に形成された孔３５，３６まで至っている。下辺縁溶着部１３から切欠２２の下縁部２２ａまでの距離Ｌ５がディスク６，７よりもわずかに大きく設定されている。
【００５０】
具体的には、切欠２２，２３の下縁部２２ａ，２３ａは、ディスク６，７を第一ディスク収納袋部２７、第二ディスク収納袋部３３にそれぞれ収納した際に、ディスク６，７の孔３５，３６の下縁部に一致する程度の高さ位置にある。切欠２２，２３の下縁部２２ａ，２３ａの円弧径は、それぞれディスク６，７の孔３５，３６の径に同等かわずかに大きく設定されている。
【００５１】
ディスクファイル対１は、上記のような構成の左右一対のディスクファイル体２を、取付けシート３を介して一体化した構成である。すなわち、取付けシート３における左右の辺縁に、ディスクファイル体２の前側台シート１０および後側台シート１１が、取付けシート３と高さが合うように溶着部４６を介して溶着されている。そして、ディスクファイル対１は、上記構成のディスクファイル体２を、取付けシート３を介して左右で前後（表裏）逆転して左右の辺縁に溶着してなる。
【００５２】
次に、ディスクファイル体２の製造方法を説明する。ディスクファイル体２の製造のために、後シート５、後側台シート１１、前側台シート１０、前シート４をそれぞれ上記形状に形成したものを準備しておき、後シート５の前側に後側台シート１１、前側台シート１０、前シート４を重ねる。このとき、後シート５と後側台シート１１との間には、外側辺縁溶着部１５、を残した面積（後シート５よりも小さな左右幅の面積）を有する不図示の溶着阻止片を挿入しておく。この状態で前側から外側辺縁溶着部１５、内側辺縁溶着部１６、および下辺縁溶着部１３を形成するようにして、後シート５、後側台シート１１、前側台シート１０、および前シート４を一体化するとともに、止め溶着部３０，３１，３２を形成するようにして、残留片２５，２６と前側台シート１０、前シート４と後側台シート１１、あるいは前側台シート１０と後側台シート１１とをこれら止め溶着部３０，３１，３２でも一体化して、第一ディスク収納袋部２７、第二ディスク収納袋部３３、ジャケット収納袋部３４が形成される。
【００５３】
このように、二枚のディスク６，７を装着可能なディスクファイル体２であっても、複数枚のシートを所定の平面形状に加工しておき、これらシートを重ねて溶着したという簡単な構成となっている。また、複数枚のシートを所定の平面形状に加工しておき、これらシートを重ねて溶着して一体化するという簡単な手順で、ディスクファイル体２を製造することができる。
【００５４】
上記のようにして製造したディスクファイル体２では、後シート５と後側台シート１１との間には溶着阻止片を挿入しておいてあるから、内側辺縁溶着部１６は後シート５には至っていない。したがって、ジャケット収納袋部３４の左右方向幅は、ほぼ外側辺縁溶着部１５，１５の間の距離Ｌ６となるから、第一ディスク収納袋部２７（第二ディスク収納袋部３３）の左右方向幅に比べて大きく、その大きさはほぼ後シート５（後側台シート１１）の大きさに等しい大きさとなる。
【００５５】
上記のようなディスクファイル体２では、第一ディスク収納袋部２７および第二ディスク収納袋部３３を有しているから、二枚のディスク６，７を装着することができる。ディスクファイル体２には、第一ディスク収納袋部２７、第二ディスク収納袋部３３へのディスク６，７の装脱を規制する止め溶着部３０，３１が形成されており、各止め溶着部３０，３１間の左右幅方向の距離Ｌ１，Ｌ２は、ディスク６，７の径および厚みを考慮して設定される値であり、ディスク６，７の装着の際にわずかにディスク６，７の外周部が抵抗を受けて、その抵抗に抗してディスク６，７を下げることでディスク６，７の外周部が止め溶着部３０，３１をそれぞれ乗り越えるようになることが可能な距離に設定されている。したがって、ディスク６，７をそれぞれ第一ディスク収納袋部２７、第二ディスク収納袋部３３へ装着するにあたり、止め溶着部３０，３１の弾性に抗してディスク６，７をそれぞれ上側から第一ディスク収納袋部２７、第二ディスク収納袋部３３を挿入するとディスク６，７がそれぞれその外周部が止め溶着部３０，３１を乗り越えてさらに下方に移動することになる。
【００５６】
前シート４には前切欠２０が形成されており、前側台シート１０には後切欠２１が形成されていて、前側台シート１０と前シート４の上辺縁どうしは重なっておらず段差がある。また後側台シート１１と前側台シート１０の上辺縁どうしも重なっておらず段差がある。したがってこの段差部を目安として前シート４を前側台シート１０の間にディスク６を挿入し易く、後側台シート１１を後シート５の間にディスク７を挿入し易くなるから、ディスク６，７をそれぞれ第一ディスク収納袋部２７、第二ディスク収納袋部３３へ収納し易くなる。
【００５７】
一旦ディスク６，７をそれぞれ上側から第一ディスク収納袋部２７、第二ディスク収納袋部３３に装着すれば、今度は止め溶着部３０，３１の存在によってディスク６，７の外周部が係止されることで、上動が規制されるから、ディスク６，７の飛び出しを防止することが可能となる。
【００５８】
さらに、前切欠２０、後切欠２１の左右幅方向中心には、それぞれ別の切欠２２，２３が連続して形成されており、これら切欠２２，２３によって前切欠２０、後切欠２１がそれぞれ二股状に割られた状態になっているから、切欠２２，２３の部分では前シート４が前側台シート１０から離れ易く、前側台シート１０は後側台シート１１からそれぞれ離れ易く、したがってディスク６，７の装着に際して、切欠２２，２３の始まり部分を目安とすれば、ディスク６，７の装着がいっそう容易である。
【００５９】
なお、ディスク６においてはその外周下端部が下辺縁溶着部１３に至り、ディスク７においてはその外周下端部が溶着部３２に至ったところで下動が規制されて、ディスク６，７は収納状態となる。
【００６０】
さらに、ディスク６，７を第一ディスク収納袋部２７、第二ディスク収納袋部３３に装着した際に、特に後側のディスク７の外周上端部は上辺縁部１１ａに一致するようになるかわずかに下方に位置するようになる。要するに、ディスク６の外周上端部は上辺縁部１１ａから飛び出さない。これは、ディスクファイル体２を上記構成とすることにより、ディスク６，７を第一ディスク収納袋部２７、第二ディスク収納袋部３３に装着した際に、ディスク６，７どうしに前後に重なる領域ができるからであり、ディスク６，７どうしを重ならないようにしてディスクファイルに装着する構造とする場合に比べてコンパクトなディスクファイル体２となる。そして、二枚のディスク６，７を装着することができるうえ、しかもディスク６，７全体の保護や、ディスク６，７どうしの擦れあい、特に磁気記録面どうしの擦れあいを防止することができる。
【００６１】
上記のように、ディスクファイル体２には、第一ディスク収納袋部２７、第二ディスク収納袋部３３それぞれに一枚ずつ、二枚のディスク６，７を装着することができるが、例えばそのうちの一枚は、購入時に付属する、いわゆるおまけとしての特典ＤＶＤとして使用することが可能である。
【００６２】
さらに、ジャケット収納袋部３４の左右方向幅は、第一ディスク収納袋部２７の左右方向幅に比べて大きく、その大きさはほぼ後シート５の大きさに等しい。つまり、ジャケット９を収納するとき、ジャケット９を折らなくてもよいか、あるいは折ったとしてもジャケット９に印刷されている面、例えばジャケット９の背の部分を折らなくてもよいようになり、ジャケット９の背の部分を含めて、ジャケット９を可及的に多く見せることが可能となる。したがって、ＤＶＤに磁気的に記録されている内容が分かりやすくなる。ジャケット９を折らなくてもよい場合は、装着の手間が省ける。このようにディスクファイル体２は、特典ＤＶＤ、ジャケット９を含めて収納することが可能である。
【００６３】
ディスクファイル対１は、ディスクファイル体２を、取付けシート３を介して左右で前後逆転して（裏返して）左右の辺縁に溶着することで製造できる。さらに、このようにして製造したディスクファイル対１を上下左右が揃うようにして複数枚重ねてディスクファイル対群４０とし、このディスクファイル対群４０を表紙、背表紙、裏表紙を構成して可撓性を有する硬質のカバー４１に重ね、ディスクファイル対群４０における取付けシート３の中心を上下に沿う方向に溶着して、ディスクファイル対１どうし、およびカバー４１の背表紙を一体化した簡単な構成で、多数のディスク６，７を収納できる。また、ディスクファイル対１を複数枚重ねてカバー４１に重ね、ディスクファイル対群４０における取付けシート３の中心を上下に沿う方向に溶着するという簡単な方法で、図４の斜視図に示すような複数枚のディスクファイル対１を有するディスクファイル４５を容易に製造することができる。
【００６４】
従来のディスクファイルでは、ディスクファイルを片側から順に捲ると、表側（ディスク６，７が収納されている側の面）と裏側（ジャケット９が収納されている側の面）とが、中央の頁にいたって逆転するということが考えられた。しかしながら、上記構成のディスクファイル対１を用いて製造されたディスクファイル４５では、ディスクファイル４５を片側から順に捲ると、表側なら表側が最後の頁まで現れることになり、反対側から順に捲ると裏側が最後の頁まで現れることになり、途中で表裏側が逆転することがない。したがって、使い勝手の良好なディスクファイル４５となる。
【００６５】
ディスクファイル体２において、内側辺縁溶着部１６は、前シート４の左右幅方向の一方の外側辺縁１４ａから他方の外側辺縁１４ｂ寄りの位置に、上下方向に沿って形成された構成であり、したがってディスク６，７はディスクファイル対１の左右幅方向中心から左右幅方向外側に位置ずれして収納されていることになる。つまり、ディスクファイル体２を捲る際の回動中心からディスク６，７は、領域部５２を設けている分だけ位置ずれしていているから、収納されているディスク６，７にディスクファイル体２を捲る際に不要な力が働くことを防止することが可能になり、ディスク６，７を保護することができる。
【００６６】
切欠２２，２３の下縁部２２ａ，２３ａは、ディスク６，７を第一ディスク収納袋部２７、第二ディスク収納袋部３３にそれぞれ収納した際、ディスク６，７の孔３５，３６の下縁部に一致する程度の高さ位置にあるから、ディスク６，７の孔３５，３６は前シート４、前側台シート１０によって完全に覆われているという状態にはなく、ディスク６，７の孔３５，３６は前方の領域が開放されている。また、切欠２２，２３によって、ディスク６，７それぞれの上部一部が露出した状態となっている。したがって、例えば鑑賞のためにディスク６，７を第一ディスク収納袋部２７、第二ディスク収納袋部３３から取出す際には、使用者が、ディスク６，７の孔３５，３６を用いて孔３５，３６の内周壁面とディスク６，７の外周部を手指で把持して第一ディスク収納袋部２７、第二ディスク収納袋部３３からそれぞれ抜取るように上動させることで、ディスク６，７を容易に取出すことが可能である。この場合、止め溶着部３０，３１の弾性に抗してディスク６，７をそれぞれ抜取ることになる。そして、ディスク６，７の間には前側台シート１０が介在しているから、ディスク６，７（特に、磁気記録面）どうしが擦れあうことがなく、ディスク６，７の損傷を防止することができる。
【００６７】
上記実施形態では、ディスク６，７を第一ディスク収納袋部２７、第二ディスク収納袋部３３に収納した際に、ディスク６，７の孔３５，３６は前方の領域が開放されるよう構成したが、これに限定されるものではない。すなわち、例えば図１の仮想線で示すように、切欠２３の下縁部２３ａがディスク７の孔３６の下部をその前方でわずかに覆うように前側台シート１０の形状（止め溶着部３２の位置）を設定するようにすることも可能である。この場合でも、ディスク７の孔３６は前方の領域の一部が開放されているから、孔３６を用いて使用者は手指でディスク７を把持して第二ディスク収納袋部３３から容易に取出すことが可能であり、しかもディスク６，７どうしが直接的に前後に重なる領域を有することなく前側台シート１０を介して前後に位置ずれしているから、いっそう確実にディスク６，７の損傷を防止することが可能となる。
【図面の簡単な説明】
【００６８】
【図１】本発明の実施形態を示すディスクファイル対の斜視図。
【図２】同じく図１のＡ−Ａ線断面図。
【図３】同じく図１のＢ−Ｂ線断面図。
【図４】同じくディスクファイルの斜視図。
【符号の説明】
【００６９】
１…ディスクファイル対、２…ディスクファイル体、３…取付けシート、４…前シート、５…後シート、６，７…ディスク、１０…前側台シート、１１…後側台シート、１３…下辺縁溶着部、１４ａ，１４ｂ…外側辺縁、１５…外側辺縁溶着部、１６…内側辺縁溶着部、２０…前切欠、２１…後切欠、２７…第一ディスク収納袋部、３０…止め溶着部、３３…第二ディスク収納袋部、３４…ジャケット収納袋部、３５，３６…孔
【図１】
2007099382.tif 000003
【図２】
2007099382.tif 000004
【図３】
2007099382.tif 000005
【図４】
2007099382.tif 000006